(57)【要約】  パルス幅変調に基づくＬＥＤ調光制御器を実現し操作する方法および装置を開示する。同期プロトコルを用いて、調光動作用の制御情報を、外部クロックドメインからＰＷＭ調光制御クロックドメインに転送することを可能にして、制御情報を更新する際の可視のアーティファクトを防止する。制御情報はＩ２Ｃシリアルバス経由でＬＥＤ調光制御器に転送することができ、同期プロトコルは、クロックドメイン境界を越える制御情報を更新する前に、Ｉ２Ｃストップコンディションを待機する。アサートされたグループ調光制御信号の立上りエッジおよび立下りエッジを、グループ調光制御信号のアクティブ部分が個別のＬＥＤパルス幅変調制御信号のアクティブ部分にオーバーラップするように発生させる。このようにして、個別のＬＥＤ制御信号のパルス幅変調は、グループ調光信号によってカットオフ（遮断）されないか、または幅を低減されない。
2009530790.tif 000002
【特許請求の範囲】
【請求項１】
複数のＬＥＤを有する、ＬＥＤに基づく照明製品を制御する方法において、
第１クロックドメインを規定する第１ベースクロックを発生するステップと、
前記第１クロックドメイン内で、複数のパルス幅変調されたＬＥＤ制御信号を発生するステップであって、前記複数のパルス幅変調されたＬＥＤ制御信号の各々が少なくとも１つのＬＥＤに関連するステップと、
前記第１クロックドメイン内で、パルス幅変調されたグループ調光信号を発生するステップと、
前記グループ調光信号を、前記複数のパルス幅変調されたＬＥＤ制御信号の各々と論理結合するステップとを具え、
前記グループ調光信号の最短パルスが、前記複数のパルス幅変調されたＬＥＤ制御信号のいずれの最長パルスよりも長くなるように、前記グループ調光信号を発生することを特徴とする照明製品の制御方法。
【請求項２】
請求項１に記載の方法において、前記複数のパルス幅変調されたＬＥＤ制御信号の各々の発生が、少なくとも部分的に、前記複数のパルス幅変調されたＬＥＤ制御信号の各々の発生用のパルス幅変調器に関連する制御レジスタの内容に基づくことを特徴とする方法。
【請求項３】
請求項２に記載の方法において、前記グループ調光信号の発生が、少なくとも部分的に、前記グループ調光信号の発生用のパルス幅調光器に関連する制御レジスタの内容に基づくことを特徴とする方法。
【請求項４】
請求項２に記載の方法において、さらに、前記複数のパルス幅変調されたＬＥＤ制御信号の発生用のパルス幅変調器に関連する各制御レジスタの更新内容を、第２クロックドメインから受信するステップを具えていることを有する方法。
【請求項５】
請求項２に記載の方法において、さらに、前記グループ調光信号の発生用のパルス幅変調器に関連する制御レジスタの更新内容を、第２クロックドメインから受信するステップを具えていることを有する方法。
【請求項６】
請求項２に記載の方法において、さらに、前記複数のパルス幅変調されたＬＥＤ制御信号の各々の発生用のパルス幅変調器に関連する各制御レジスタの更新内容、および前記グループ調光信号の発生用のパルス幅変調器に関連する制御レジスタの更新内容を、Ｉ２Ｃシリアルバス経由で受信するステップを具えていることを有する方法。
【請求項７】
請求項６に記載の方法において、さらに、前記複数のパルス幅変調ＬＥＤ制御信号の各々の発生用のパルス幅変調器に関連する制御レジスタの更新内容、および前記グループ調光信号の発生用のパルス幅変調器に関連する制御レジスタの更新内容を前記第１クロックドメインに転送する前に、Ｉ２Ｃのストップコンディションが発生したことを判定するステップを具えていることを特徴とする方法。
【請求項８】
請求項７に記載の方法において、さらに、前記第１クロックドメイン内で、Ｉ２Ｃのストップコンディションが発生したことの判定に応答するフラグをセットすることを有する方法。
【請求項９】
請求項２に記載の方法において、前記複数のＬＥＤが、異なる色のＬＥＤを含むことを特徴とする方法。
【請求項１０】
パルス幅変調に基づくＬＥＤ調光器において、
第１発振回路と、
前記第１発振回路に結合された第１カウンタと、
各々がＬＥＤに関連し、かつ各々が前記第１発振回路および前記第１カウンタに結合された複数の個別パルス幅変調回路と、
各々が前記複数の個別パルス幅変調回路の少なくとも１つに関連する複数の制御レジスタと、
グループ調光パルス幅変調回路、及び前記グループ調光パルス幅変調回路に関連する制御レジスタとを具え、前記グループ調光パルス幅変調回路は、前記第１カウンタの出力信号を分周した信号を受信するように結合され、
前記複数のパルス幅変調回路及び前記グループ調光パルス幅変調回路は、前記第１発振回路によって規定される第１クロックドメインに属し、前記複数の制御レジスタ及び前記グループ調光器に関連する制御レジスタは、第２クロックドメイン内で生成される制御情報を受信するように構成されていることを特徴とするＬＥＤ調光器。
【請求項１１】
請求項１０に記載のＬＥＤ調光器において、さらに、前記複数の個別パルス幅変調回路の出力信号を前記グループ調光パルス幅変調回路の出力信号と論理結合するための結合論理ゲート具えていることを特徴とするＬＥＤ調光器。
【請求項１２】
請求項１１に記載のＬＥＤ調光器において、さらに、前記制御レジスタに結合されたＩ２Ｃシリアルバスインターフェースを具えていることを特徴とするＬＥＤ調光器。
【請求項１３】
請求項１２に記載のＬＥＤ調光器において、さらに、Ｉ２Ｃのストップコンディションを検出した際にセットされるフラグを具えていることを特徴とするＬＥＤ調光器。
【請求項１４】
請求項１１に記載のＬＥＤ調光器において、さらに、前記結合論理ゲートがＬＥＤに結合されていることを特徴とするＬＥＤ調光器。
【発明の詳細な説明】
【技術分野】
【０００１】
本発明は一般に、ＬＥＤ調光制御の方法および装置に関するものである。特に、本発明は可視のアーティファクトを生じさせることなしに、ＬＥＤのパルス幅変調調光制御を行い、異なる色の複数のＬＥＤを調光し、クロックドメイン（領域）間で調光情報を伝達するための回路および方法に関するものである。
【背景技術】
【０００２】
白熱電球の導入以来、照明技術は多くの進歩を遂げてきた。照明技術における最近の進歩の１つが発光ダイオード、または今日ではより一般的にＬＥＤと称されるものの開発である。半導体に基づくこれらの照明製品は、小型のサイズ、低電圧供給による動作、及び制御回路との統合の容易さのような多くの望ましい性質を有する。
【０００３】
ＬＥＤは、その導入以来比較的急速に進化し、現在では、民生用および産業用電子機器を含む製品分野、並びに照明用途に幅広く用いられている。輝度および種々の色の利用可用性のような分野においていくつかの改良がなされてきた。他の進歩は、これらの有用な照明素子の応用、およびこれらを制御するために使用する回路に関してもたらされた。
【発明の開示】
【発明が解決しようとする課題】
【０００４】
調光動作中のフラッシュ（明滅）のような可視のアーティファクトを回避し、ＬＥＤの輝度に影響を及ぼす従来の回路の動作誤りを回避しつつ、所望の調光を達成するＬＥＤ調光制御を提供するための方法および装置が必要である。
【０００５】
簡単に言えば、パルス幅変調に基づくＬＥＤ調光制御器を実現し動作させる方法および装置について説明する。
【課題を解決するための手段】
【０００６】
本発明の１つの態様では、同期プロトコルを用いて、調光動作のための制御情報が、外部クッロクドメインからＰＷＭ調光制御クッロクドメインに転送することを可能にして、この制御情報が更新される際の可視のアーティファクトを防止する。
【０００７】
本発明の他の態様では、制御情報がＩ２Ｃシリアルバス経由でＬＥＤ調光制御器に転送され、同期プロトコルは、クロックドメイン境界において制御情報を更新する前に、Ｉ２Ｃのストップコンディションを待機する。
【０００８】
本発明のさらに他の態様では、アサート（真の論理値に）されたグループ調光制御信号の立上りエッジおよび立下りエッジを、グループ調光制御信号のアクティブ（活性）部分が個別のＬＥＤパルス幅変調制御信号のアクティブ部分にオーバーラップするように発生させる。このようにして、各ＬＥＤ制御信号のパルス幅変調は、グループ調光信号によってカットオフ（遮断）されないか、または幅を低減されない。
【発明を実施するための最良の形態】
【０００９】
本発明は一般に、ＬＥＤ調光制御に関するものである。本発明の種々の態様は特に、可視のアーティファクトを生じさせることなしに、ＬＥＤのパルス幅変調調光制御を行い、異なる色の複数のＬＥＤを調光し、クロックドメイン（領域）間で調光情報を伝達するための回路および方法に関するものである。
【００１０】
本明細書では、「一実施例」、「ある実施例」、または同様の語句は、当該実施例に関連して記載した特定の特徴、構造、動作、または特性が、本発明の少なくとも１つの実施例に含まれることを意味する。従って、本明細書におけるこうした語句の出現は、必ずしもすべてが同一実施例を参照するとは限らない。さらに、種々の特徴、構造、動作、または特性は１つ以上の実施例において、あらゆる適切な方法で組み合わせることができる。
【００１１】
集積回路、ＩＣ、チップ、ダイ、半導体デバイス、モノリシック集積回路、マイクロエレクトロニクスデバイス、および類似の変化語は、本明細書では互換のものとして用いることがある。これらのマイクロエレクトロニクスデバイスに関しては、信号は、これらのマイクロエレクトロニクスデバイス間及び他の回路素子との間で、物理的かつ電気的な導電接続を介して結合され、上記他の回路素子は、他のマイクロエレクトロニクスデバイスを含むが、それに限定されない。接続点は時として、入力、出力、入力／出力（Ｉ／Ｏ）、端子、ライン（線）、ピン、パッド、ポート、インターフェース、または類似の変形語およびその組合せで称する。これらの用語は、その使用について特に明記しない限り、本発明の開示目的では等価な用語と考えることができる。
【００１２】
本発明の様々な実施例は、パルス幅変調を用いて、ＬＥＤの調光を巧妙に、個別に制御すると共にグループとして制御して、調光による可視のアーティファクトを生じさせないシステムおよび方法を提供する。パルス幅変調はＬＥＤを制御する効率的な方法である。ＬＥＤのオン時間およびオフ時間を変化させることによって、そして現在利用可能な種々の異なる色のＬＥＤ（例えば赤色（Ｒ）、緑色（Ｇ）、青色（Ｂ）および黄色（Ｙ））を用いることによって、人間の目に見える色混合を生成することを可能にする。人間の目は、異なる色のＬＥＤの輝度を平均化し、これにより、異なる色を見る知覚を生じさせる。さらに、ＬＥＤを通る電流を十分に高い周波数（一般に２ｋＨｚ以上）にパルス化することによって、人間の目は調光効果を知覚する。
【００１３】
本発明によるＬＥＤ調光制御器によって克服される課題は多数存在する。こうしたＬＥＤ調光制御器は、種々の不所望な可視のアーティファクトを生じさせることなしにＬＥＤの調光を行う。例えば、ＬＥＤ出力の所望の調光を達成することに加えて、本発明によるＬＥＤ調光制御器は、調光過程中の突発的な光のフラッシュ（明滅）のような可視のアーティファクトを回避し、そして調光波形による元の波形のチョップオフ（切断）を回避し、従って、ＬＥＤの元の輝度の変化のような可視のアーティファクトを回避する。
【００１４】
パルス幅変調型ＬＥＤ調光制御器（または単にＬＥＤ調光器）は一般に、外界から制御またはアクセスすることのできるレジスタを含む。パルス幅変調型ＬＥＤ調光器を備えたＬＥＤ照明製品の代表的な応用では、調光器のレジスタへのアクセスは単純なメカニズムによることが好ましい。以下に説明する本発明の実施例では、Ｉ２Ｃシリアルバスインターフェースを用いてこれらのレジスタへのアクセスを行う。なお、このシナリオでは、ＬＥＤ調光器は第１チップ上に存在し、制御情報は第２チップからＩ２Ｃシリアルバス経由で第１チップに送信される。これに加えて、この実施例は、オンチップ（チップ上の）発振器を用いて、調光制御信号のパルス幅変調を達成するために使用する必要なベースクロック周波数をパルス幅変調（ＰＷＭ）回路に供給する。これらの調光制御信号のパルス幅変調は、カウンタおよび比較器（コンパレータ）を有する完全同期型論理回路によって達成することができる。
【００１５】
以下に説明する実施例では、複数のＬＥＤが存在し、各ＬＥＤは、当該ＬＥＤの知覚される輝度を制御するためのＰＷＭ制御回路、並びにグループとしてＬＥＤを調光するための回路を有する。個別調光動作用およびグループ調光動作用の制御回路は共に集積回路の形で実現され、その集積回路の内部に種々のレジスタを含む。種々の輝度および調光制御パラメータを指定するために、ユーザーはこれらの内部レジスタに情報を書き込むことができ、この情報は、個別ＬＥＤ調光ＰＷＭ回路、およびグループＬＥＤ調光ＰＷＭ回路を制御する。
【００１６】
この実施例では、内部レジスタへの書込みまたはデータ転送はＩ２Ｃシリアルインターフェース経由で行われ、Ｉ２Ｃシリアルインターフェースは、Ｉ２Ｃプロトコルの非同期のスタートコンディションおよびストップコンディションを除く大部分は同期的である。これらの書込み動作は（Ｉ２Ｃマスター装置によって規定される）ＳＣＬクロックドメイン内で発生し、これについては以下により詳細に説明する。ＬＥＤ調光チップ内では、内部発振器がベースクロックを発生し、このベースクロックは分周されて個別ＬＥＤ調光ＰＷＭ回路およびグループＬＥＤ調光ＰＷＭ回路内で使用され、これにより、発振器（ＯＳＣ）のクロックドメインが生成される。
【００１７】
新たな値をレジスタに書き込む際に、本発明の実施例は、巧妙な制御パラメータの更新が、観測者によって検出される可視のアーティファクトのないＬＥＤ出力を生じさせることを保証することが有利である。
【００１８】
図１のブロック図は、本発明の実施例を示す。発振器１０２は、クロック信号を８ビットカウンタ１０４に供給する。発振器１０２のクロック信号はさらに、比較器ＰＷＭ０ １０６、ＰＷＭ１ １０８、ＰＷＭ２ １１０、およびＰＷＭ３ １１２のクロック入力端子に結合されている。比較器ＰＷＭ０ １０６、ＰＷＭ１ １０８、ＰＷＭ２ １１０、およびＰＷＭ３ １１２はさらに、８ビットカウンタ１０４から出力信号を受信するように共通結線されている。これに加えて、比較器ＰＷＭ０ １０６、ＰＷＭ１ １０８、ＰＷＭ２ １１０、およびＰＷＭ３ １１２はそれぞれ、レジスタＰＷＭ０＿ｒｅｇ、ＰＷＭ１＿ｒｅｇ、ＰＷＭ２＿ｒｅｇ、およびＰＷＭ３＿ｒｅｇ（図示せず）からの出力信号を受信するように結合されている。クロック分周器１１４は、８ビットカウンタ１０４の出力信号を受信するように結合されている。クロック分周器１１４の出力端子は、８ビットカウンタ１１８およびコンパレータＰＷＭ４ １１６に結合されている。比較器ＰＷＭ４ １１６はさらに、制御レジスタＧｒｐｐｗｍ＿ｒｅｇ（図示せず）の出力信号を受信し、かつ８ビットカウンタ１１８の出力信号を受信するように結合されている。第１アンド（ＡＮＤ、論理和）ゲート１２０は、比較器ＰＷＭ０ １０６の出力信号および比較器ＰＷＭ４ １１６の出力信号を受信するように結合され、第１ＬＥＤを制御するための出力信号ＬＥＤ０を生成する。第２アンドゲート１２２は、比較器ＰＷＭ１ １０８の出力信号および比較器ＰＷＭ４ １１６の出力信号を受信するように結合され、第２ＬＥＤを制御するための出力信号ＬＥＤ１を生成する。第３アンドゲート１２４は、比較器ＰＷＭ２ １１０の出力信号および比較器ＰＷＭ４ １１６の出力信号を受信するように結合され、第３ＬＥＤを制御するための出力信号ＬＥＤ２を生成する。第４アンドゲート１２６は、比較器ＰＷＭ３ １１２の出力信号および比較器ＰＷＭ４ １１６の出力信号を受信するように結合され、第４ＬＥＤを制御するための出力信号ＬＥＤ３を生成する。この実施例では、第１、第２、第３および第４ＬＥＤ（図示せず）の各々が異なる色の光を発光する。
【００１９】
当業者および本明細書の開示を利用できる者は、代案の組合せ論理回路および／または信号極性を用いて、例示した機能を達成することを認識する。
【００２０】
さらに図１のブロック図を参照すれば、この実施例は、個別のＬＥＤの輝度制御用の４つの個別ＰＷＭ回路（ＰＷＭ０〜ＰＷＭ３）、およびグループ調光用のグループＰＷＭ回路（ＰＷＭ４）を有する。なお、グループ調光の代わりに、同一の技術を用いて個別調光制御も達成することができる。個別ＰＷＭ回路は、（この実施例では内部発振器から導出した）ＯＳＣクロックを異なるように分周したクロックによってクロック動作する。４つのＬＥＤの個別の輝度制御は、ユーザーがＰＷＭ０＿ｒｅｇ〜ＰＷＭ３＿ｒｅｇの値を変更することによって達成される。レジスタの書込みは、この実施例では、Ｉ２Ｃインターフェースのフロントエンドを通して行われる。グループ調光制御は、レジスタＰＷＭ４＿ｒｅｇの値を変更することによって達成することができる。
【００２１】
当業者は、フィリップス（Philips）社によって開発され、現在フィリップス社からの許諾の下に幅広い半導体製造業者によって使用されている周知のＩ２Ｃ２線シリアルバスに精通している。Ｉ２Ｃプロトコルはマスター／スレーブプロトコルであり、１本の線をシリアルデータ用に使用し、これはＳＤＡとして周知であり、そして１本の線をシリアルクロック用に使用し、これはＳＣＬとして周知である。Ｉ２Ｃのマスター装置はＳＣＬクロック信号を生成する。Ｉ２Ｃプロトコルはタイミング、アドレス指定、クロッキング（クロック動作）、データ転送、確認応答（アクノレッジ）、電圧レベルなどを指定している。
【００２２】
なお、Ｉ２Ｃのクロック、即ちシリアルクロック（ＳＣＬ）は連続クロックではない。ＳＣＬ信号はＩ２Ｃマスター装置によって任意時刻に停止および開始することができる。これに加えて、Ｉ２Ｃプロトコルによれば、ＳＣＬ線上のクロック信号がハイ（高）である際に、ＳＤＡ線上のデータは有効でなければならないが、２つの例外がある。ＳＣＬ線上のクロック信号がハイである間の、ＳＤＡ線上のハイ−ロー（低）の遷移が「スタート」コンディション（開始条件）として解釈される。ＳＣＬ線上のクロック信号がハイである間のＳＤＡ線上のロー−ハイの遷移が「ストップ」コンディション（停止条件）として解釈される。
【００２３】
Ｉ２Ｃ２線シリアルバスは広く知られ、多くの製造業者から普通に入手可能であり、本明細書では、これについてのさらに詳細な説明は行わない。
【００２４】
図２に、調光制御用の基本的な時間波形を示す。１番目の波形は個別ＰＷＭ回路の出力信号である。２番目の波形はグループ調光ＰＷＭ回路の出力信号である。３番目の波形は合成調光波形である。図２に示す波形を検討すれば、ＬＥＤ調光制御器の動作がわかる。グループ調光信号により、合成波形は異なるオン時間およびオフ時間を有する。こうしたＬＥＤの平均輝度の変化は、平均化動作を行う人間の目によって調光として知覚される。ＰＷＭ４＿ｒｅｇの値を変化させることによって、グループＰＷＭ回路のパルス幅変調出力信号を変化させることができ、このことは合成波形の制御を可能にし、従ってＬＥＤ出力を調光する制御を提供する、ということがわかる。
【００２５】
ユーザーが個別ＰＷＭ回路をオン時間５０％およびオフ時間５０％に初期設定したものと仮定する。これは特定輝度に対応する。ここで、ユーザーがＬＥＤ出力を減光したい場合、ＰＷＭ４＿ｒｅｇの値を、出力輝度を例えば２５％低減するように設定する。これによりＬＥＤ輝度は２５％低減すべきである。しかし、本発明によるＬＥＤ調光制御器は、これらに限らないが次のような要素、即ち、ユーザーインターフェースはＰＷＭ周波数（ＯＳＣクロックドメイン）とは異なる周波数（ＳＣＬクロックドメイン）で動作し、従って、これら２つのクロックドメイン間に巧妙なハンドシェイクが存在する必要があり、従って、ＬＥＤ出力を更新する過程は突発的ではなく円滑なものであるべきである、ということを考慮にいれなければならない。結果的な更新は、人間の目が突発的な切り替わりを知覚しないほど巧妙であるべきである。
【００２６】
全てのＬＥＤを一緒に更新する方法は、本明細書で「ストップ時の更新」と称するメカニズムによって提供される。
【００２７】
ストップ時の更新の方法では、ユーザーがＳＣＬクロックドメインに属する調光制御レジスタを更新する際に、ＯＳＣクロックドメインに属する回路の更新は、ストップコンディションがＩ２Ｃバス上に発行されるまで遅らせる。この手順は、この実施例における４つのＬＥＤの全てを同時に、それぞれの指定輝度レベルに同時に更新することを可能にする。このようにして、人間の目が、調光の前に変化する異なる色を知覚する状況が回避される。例えば、個別のＬＥＤ輝度値の元の組合せが明るい紫色を生じさせる場合に、この方法を用いることによって、調光動作は、明るい紫色が最終的に暗い紫色に落ち着く前に突発的に他の色に変化する代わりに、暗い紫色を生じさせる。
【００２８】
ＯＳＣクロックドメイン内の実際の更新は、クロックドメイン境界を越えるデータの転送から生じる可視のアーティファクトが存在しないように慎重に制御する。このことは強固（ロバスト）で同期的なデジタル制御メカニズムによって達成される。例示するＰＷＭの実現は、カウンタ／比較器の実現である。自走（フリーラン）カウンタはクロック数をカウントする。比較器はＰＷＭ４＿ｒｅｇの値をカウンタと比較して一致するか否かを調べる。一致する場合に、ＰＷＭ４出力をアサートする。
【００２９】
上述したように、ＬＥＤの光出力を調光する際に可視のアーティファクトを回避することが望ましい。こうした可視のアーティファクトを回避する方法は、ＳＣＬクロックドメインに属するＰＷＭ４＿ｒｅｇが更新されたか否かを判定して、ストップコンディションを待機することを含む。一旦、ＳＣＬクロックドメイン内でストップコンディションが生じると、ＯＳＣクロックドメインとの巧妙なクロック境界ハンドシェイクが実行され、ＯＳＣクロックドメイン内でフラグがセットされる。これに続いて、ＯＳＣクロックドメインに属するＰＷＭ４カウンタが巧妙に転回して０になるまで待機状態が生じる。この時点では、ＯＳＣクロックドメインの属するＰＷＭ４＿ｒｅｇシャドーレジスタは新たな値に更新される。この手順は、新たな調光波形にアーティファクトがないことを保証する。図３は本発明によるデータ転送手順に従った結果及び従わない結果を示す。
【００３０】
元の波形を切断（チョップ）しない（従って、ＬＥＤの元の輝度特性を変化させない）目的を達成するために、本発明の種々の実施例は、調光波形の立上りエッジおよび立下りエッジを、元の波形から時間的に分離することを保証することを含む。この目的のための回路を実現する多くの異なる方法が存在することは、当業者および本発明の開示を利用する者にとって明らかである。さらに、上述したエッジの分離が達成されることを保証するために、デジタルカウンタの設計および比較器の設計に細心の注意を払うことも明らかである。ＬＥＤ調光制御器を設計するに当たり、集積回路として実現すべき本発明によれば、レイアウト後にバックアノテート（結果を反映すること）されるタイミング結果を分析して、レイアウト後でも上述したエッジの分離を有効にすることを保証すべきである。異なる半導体製造プロセスの転換点における種々の信号のタイミングの変化は所望の回路挙動に影響し得るので、この手順の価値は集積回路設計者にとって明らかである。あり得る最小のグループ調光パルスは、あり得る最大の個別ＰＷＭパルスに等しいかより大きいことを保証する必要がある。
【００３１】
ＬＥＤの調光制御用途における使用に適した回路、システム、および方法を説明してきた。本発明の種々の実施例は、パルス幅変調に基づくＬＥＤ調光制御器を提供し、このＬＥＤ調光制御器は、第２クロックドメインにおいてＬＥＤ制御信号を発生しつつ、第１クロックドメインからのデータを受信する制御レジスタを有する。こうした制御レジスタの更新によって通常生じる可視のアーティファクトは、本発明の実施例によって解消される。
【００３２】
本発明の実施例によって多数の利点が提供される。１つの利点は、調光動作中の光のフラッシュのような可視のアーティファクトが解消されることである。
【００３３】
他の利点は、本発明による同期デジタル設計を、現代のシミュレータおよび静的なタイミング解析ツールによって検証可能であることである。
【００３４】
なお、本発明のさまざまな実施例は、グループ、個別、またはその双方を含む任意のＬＥＤ調光用途に適用することができる。
【００３５】
さらに、この実施例はＩ２Ｃフロントエンドで説明したが、当業者および本発明の開示を利用する者は、他のフロントエンドプロトコルを用いることができ、本発明はＩ２Ｃインターフェースの使用に限定されないことを認識する。
【００３６】
本発明は、上述した実施例に限定されず、請求項及びそれと等価なものの範囲内のあらゆる全ての実施例を包含することをは明らかである。
【図面の簡単な説明】
【００３７】
【図１】本発明による回路の概略ブロック図である。
【図２】単一ＬＥＤ用のパルス幅変調制御信号、グループレベル調光信号、およびこれら２つの信号を論理結合して調光出力信号を生成した合成波形のタイミング図である。
【図３】本発明によるデータ転送手順に従った結果及び従わない結果を示すタイミング図である。
【図１】
2009530790.tif 000003
【図２】
2009530790.tif 000004
【図３】
2009530790.tif 000005
【国際調査報告】
2009530790.tif 000006
2009530790.tif 000007
2009530790.tif 000008